(57)【要約】【課題】支持点を支点として回動操作するだけの簡易な操作により短時間で操作部保持体を取付けることができる表示装置を提供する。【解決手段】画像表示面に画像を表示する表示手段を有する表示部を被覆するキャビネット２と、前記表示手段に動作指示信号を与える操作部を保持してある操作部保持体５とを備え、操作部保持体５の一縁部を支持する支持部２５及び該支持部２５と離隔した箇所で操作部保持体５の前記一縁部と離隔した箇所を係止する係止部２４とをキャビネット２に設け、支持部２５に支持される被支持部５１及び該被支持部５１が支持部２５に支持された状態で回動されることにより係止部２４に係止される被係止部５２を操作部保持体５に設けた。【選択図】図３
2009181038.tif 000002
【特許請求の範囲】
【請求項１】
前側に画像表示面を有し、該画像表示面に画像を表示する表示手段を有する表示部と、前記表示手段に動作指示信号を与える操作部を保持してある操作部保持体と、前記画像表示面に対応する箇所が開放され、前記表示部を被覆するキャビネットとを備えた表示装置において、前記キャビネットは、前記操作部保持体の一縁部を支持する支持部及び該支持部と離隔した箇所で前記操作部保持体の前記一縁部と離隔した箇所を係止する係止部を有し、前記操作部保持体は、前記支持部に支持される被支持部及び該被支持部が前記支持部に支持された状態で回動されることにより前記係止部に係止される被係止部を有することを特徴とする表示装置。
【請求項２】
前記操作部保持体は一面に前記操作部を配してあり、前記キャビネットは、前記表示部の前側を被覆し、前記支持部及び係止部を有するキャビネット前分体と、前記表示部の後側を被覆するキャビネット後分体とを備え、前記操作部保持体の他面に接触して該操作部保持体の回動を規制する規制片を前記キャビネット後分体に設けてある請求項１記載の表示装置。
【請求項３】
前記キャビネットは、前記表示部の前側を被覆し、前記支持部及び係止部を有するキャビネット前分体と、前記表示部の後側を被覆するキャビネット後分体とを備え、前記操作部保持体を前記支持部との間で移動規制する規制部を前記キャビネット後分体に設けてある請求項１記載の表示装置。
【請求項４】
前記キャビネット後分体は、前記支持部との間で前記操作部保持体の移動を規制する規制部を有する請求項２記載の表示装置。
【発明の詳細な説明】
【技術分野】
【０００１】
本発明は液晶表示装置、プラズマ表示装置等の表示装置に関する。
【背景技術】
【０００２】
テレビジョン等の表示装置は、前側に画像表示面を有し、該画像表示面に画像を表示する表示手段及び該表示手段を制御する制御部を有する表示部と、前記制御部を外部で手動により制御操作する押釦等の操作部を保持してある操作部保持体と、画像表示面に対応する箇所が開放され、表示部の前側を被覆する前キャビネットと、表示部の後側を被覆する後キャビネットと、前記表示部を起立状態で支持したスタンドとを備えている（例えば、特許文献１参照）。前記操作部保持体は、押釦等の複数の操作部、該操作部の押し操作により動作するスイッチ、該スイッチに接続されている回路基板等が保持されており、該操作部保持体が複数本の雄螺子により前キャビネットに取付けられている。
【特許文献１】特開２００７−１１４５６６号公報
【発明の開示】
【発明が解決しようとする課題】
【０００３】
ところで、近年の薄型表示装置は益々大型化の一途をたどっており、質量が重くなっているため、組立工程において、作業台上に伏せたり、起こしたりする作業は多大の労力、及び設備を必要とする。因って、操作部保持体、スピーカ、前キャビネット、後キャビネット等の付設部品は、組立てられた表示部にスタンドを取付け、該スタンドが表示部を起立した状態で該表示部に組付けるのが好ましい。
【０００４】
ところが、特許文献１のように操作部保持体が複数本の雄螺子により前キャビネットに取付けられている表示装置にあっては、操作部保持体を前キャビネットの取付位置に位置決めし、操作部保持体に開設されている貫通孔に雄螺子を挿入し、前キャビネットに捩じ込む操作が必要であるため、取付作業効率が悪く、組立てに要する時間が長くなり、コスト高になるという問題がある。
【０００５】
本発明は斯かる事情に鑑みてなされたものであり、主たる目的は表示部を被覆するキャビネットに、操作部を保持してある操作部保持体の一縁部を支持する支持部及び該支持部と離隔した箇所で前記操作部保持体の前記一縁部と離隔した箇所を係止する係止部を設け、前記支持部に支持される被支持部及び該被支持部が前記支持部に支持された状態で回動されることにより前記係止部に係止される被係止部を操作部保持体に設けることにより、支持点を支点として回動操作するだけの簡易な操作により短時間で操作部保持体を取付けることができる表示装置を提供することにある。
【課題を解決するための手段】
【０００６】
本発明に係る表示装置は、前側に画像表示面を有し、該画像表示面に画像を表示する表示手段を有する表示部と、前記表示手段に動作指示信号を与える操作部を保持してある操作部保持体と、前記画像表示面に対応する箇所が開放され、前記表示部を被覆するキャビネットとを備えた表示装置において、前記キャビネットは、前記操作部保持体の一縁部を支持する支持部及び該支持部と離隔した箇所で前記操作部保持体の前記一縁部と離隔した箇所を係止する係止部を有し、前記操作部保持体は、前記支持部に支持される被支持部及び該被支持部が前記支持部に支持された状態で回動されることにより前記係止部に係止される被係止部を有することを特徴とする。
【０００７】
この発明にあっては、操作部保持体の一縁部を支持部に支持した状態で操作部保持体を回動操作することにより被係止部が係止部に係止され、操作部保持体を取付けることができる。従って、捩じ込み作業が必要でなく、支持点を支点として回動操作するだけの簡易な操作により短時間で操作部保持体を取付けることができ、表示装置のコストを低減できる。
【０００８】
また、本発明に係る表示装置は、前記操作部保持体は一面に前記操作部を配してあり、前記キャビネットは、前記表示部の前側を被覆し、前記支持部及び係止部を有するキャビネット前分体と、前記表示部の後側を被覆するキャビネット後分体とを備え、前記操作部保持体の他面に接触して該操作部保持体の回動を規制する規制片を前記キャビネット後分体に設けてある構成とするのが好ましい。
この発明にあっては、前キャビネットに操作部保持体が取付けられた後、後キャビネットが取付けられる際、該後キャビネットの規制片が操作部保持体の他面と接触し、操作部保持体の復帰回動を規制することができるため、操作部保持体の係止力にバラツキがある場合においても、また、操作部の押し操作力が比較的大きい場合においても係止部による係止が解除されるのを防ぐことができる。
【０００９】
また、本発明に係る表示装置は、前記キャビネットは、前記表示部の前側を被覆し、前記支持部及び係止部を有するキャビネット前分体と、前記表示部の後側を被覆するキャビネット後分体とを備え、前記操作部保持体を前記支持部との間で移動規制する規制部を前記キャビネット後分体に設けてある構成とするのが好ましい。
この発明にあっては、前キャビネットに操作部保持体が取付けられた後、後キャビネットが取付けられる際、該後キャビネットの規制部と前記支持部との間で操作部保持体の移動を規制することができるため、搬送時の振動等により操作部保持体が動くのを防ぐことができ、操作部保持体のガタツキをなくすることができる。
【００１０】
また、本発明に係る表示装置は、前記キャビネット後分体は、前記支持部との間で前記操作部保持体の移動を規制する規制部を有する構成とするのが好ましい。
この発明にあっては、前キャビネットに操作部保持体が取付けられた後、後キャビネットが取付けられる際、該後キャビネットの規制片が操作部保持体の他面と接触し、該後キャビネットの規制部と前記支持部との間で操作部保持体の移動を規制することができるため、搬送時の振動、及び操作部の押し操作により操作部保持体が動くのを防ぐことができ、操作部保持体のガタツキをなくすることができる。
【発明の効果】
【００１１】
本発明によれば、捩じ込み作業が必要でなく、操作部保持体の一縁部を支持する支持点を支点として操作部保持体を回動操作するだけの簡易な操作により短時間で操作部保持体を取付けることができ、表示装置のコストを低減できる。
【発明を実施するための最良の形態】
【００１２】
以下本発明をその実施の形態を示す図面に基づいて詳述する。図１は本発明に係る表示装置の構成を示す正面図、図２はキャビネットの一部を省略した背面側斜視図、図３及び図４は操作部保持体が装着されたキャビネットの一部を示す背面側斜視図、図５はキャビネットの一部を示す背面側斜視図、図６は操作部保持体が装着されている箇所の拡大断面図である。
【００１３】
図示した表示装置はテレビ画像を表示し、前面視略四角形をなす表示部１と、該表示部１を被覆するキャビネット２と、表示部１を起立状態で支持するスタンド３とを備える液晶テレビである。
【００１４】
表示部１は前側に画像表示面を有する液晶パネルと、該液晶パネルの後側に配された光学シート及び該光学シートの後側に配されたバックライト部１１と、前記画像表示面に画像を表示する表示手段とを備える。
【００１５】
表示手段はマイクロプロセッサを用いてなる制御部を有しており、該制御部の入力部には、外部電源に接続される主電源スイッチと、表示メニューの入力を切換える入力切換スイッチと、テレビ放送選択スイッチと、音量調整スイッチ等が接続されている。
【００１６】
キャビネット２は、表示部１の周縁部前側を隠蔽する額縁部２１ａ、及び該額縁部２１ａの外縁から後方へ延出され、表示部１の周縁部を被覆する角形枠部２１ｂを有するキャビネット前分体２１と、表示部１の後側を隠蔽する蓋板部２２ａ、及び該蓋板部２２ａの外縁から前方へ延出され、表示部１の周縁部を隠蔽する角形枠部２２ｂを有するキャビネット後分体２２とを備える。
【００１７】
キャビネット前分体２１における角形枠部２１ｂの上辺部で、横方向の中途には後方へ延出された支持板部２３が一体に成形され、該支持板部２３に、前記表示手段に動作指示信号を与える操作部４を保持してある操作部保持体５が装着されている。また、額縁部２１ａの内側には、前記バックライト部の周縁部に係止される複数の係止爪２１ｃと、複数の筒形ボス２１ｄとが突設されている。
【００１８】
キャビネット後分体２２における角形枠部２２ｂの上辺部で、横方向の中途には支持板部２３に対応する凹部２２ｃが設けられており、また、蓋板部２２ａの周縁側には筒形ボス２１ｄに対応する筒形ボスが突設されている。
【００１９】
図７は操作部保持体５の構成を示す斜視図、図８は操作部保持体５の回路基板が省略された裏側斜視図、図９は操作部保持体５が装着される過程を示す説明図である。操作部４は、主電源スイッチを操作する第１の押釦４１、入力切換スイッチを操作する第２の押釦４２、テレビ放送選択スイッチを操作する第３の押釦４３、音量調整スイッチを操作する第４の押釦４４、チャンネル切換スイッチを操作する第５の押釦４５を有し、第１〜第５の押釦４１〜４５が操作部保持体５に動作を可能に保持されている。
【００２０】
操作部保持体５は略直方体をなし、一面に第１〜第４の押釦４１〜４５が長手方向へ離隔して直列に並置され、内部に、前記主電源スイッチ、入力切換スイッチ、テレビ放送選択スイッチ、音量調整スイッチ及びチャンネル切換スイッチが搭載された回路基板６が収容されており、主電源スイッチと対応する位置に第１の押釦４１、入力切換スイッチと対応する位置に第２の押釦４２、テレビ放送選択スイッチと対応する位置に第３の押釦４３、音量調整スイッチと対応する位置に第４の押釦４４、チャンネル切換スイッチと対応する位置に第５の押釦４５を夫々配置してある。
【００２１】
操作部保持体５の幅方向一縁部には外方へ延出され、後記する支持部に当接して支持される薄板状の被支持部５１が設けられており、また、操作部保持体５の長手方向両端部には外方へ延出され、後記する二つの係止部に係止される柱形状の被係止部５２，５２が設けられている。
【００２２】
操作部保持体５が装着される支持板部２３は略台形をなし、第１〜第５の押釦４１〜４５に対応する五つの貫通孔２３ａ〜２３ｅが開設されており、また、内側に、可撓性を有し被係止部５２，５２を係止する二つの係止部２４，２４と、被支持部５１を支持する二つの支持部２５，２５と、操作部保持体５の回動を規制する複数の規制凸部２６とが横方向に夫々離隔して突設されている。
【００２３】
係止部２４，２４は、支持板部２３の内面から角形枠部２１ｂの内面に亘って前後方向へ延びる可撓片２４ａの先端に、対向する側へ突出する爪部２４ｂが設けられており、支持板部２３の長手方向両端部に配されている。支持部２５，２５は支持板部２３の内面から角形枠部２１ｂの内面に亘って前後方向へ延びるリブ２５ａの後端に爪部２５ｂが設けられており、係止部２４，２４間に配されている。規制凸部２６は支持板部２３の内面から角形枠部２１ｂの内面に亘って前後方向へ延びるリブからなり、係止部２４，２４間に離隔して配されている。
【００２４】
キャビネット後分体２２における蓋板部２２ａの上部には、支持部２５，２５に支持された操作部保持体５の幅方向他縁に接触して操作部保持体５を支持部２５，２５との間で移動規制する規制部２２ｅと、凹部２２ｃの近傍から前方へ延出され、操作部保持体５の他面に接触して操作部保持体５の復帰回動を規制する複数の規制片２７とが設けられている。規制片２７は横方向へ離隔して配されている。
【００２５】
以上のように構成された表示装置を組立てる場合、表示部１の後面に装着されたスタンド３により表示部１が起立され、該表示部１の前方からキャビネット前分体２１が被嵌され、該キャビネット前分体２１の係止爪２１ｃがバックライト部１１の周縁部に係止される。
【００２６】
この後、操作部保持体５を把持し、該操作部保持体５の被支持部５１，５１を支持板部２３の支持部２５，２５に当接させ、この当接状態で操作部保持体５を支持板部２３側へ回動操作することにより被係止部５２，５２の先端が爪部２４ｂ，２４ｂに当接し、可撓片２４ａ，２４ａを外方へ撓ませつつ被係止部５２，５２が係止部２４，２４に係止される。このように操作部保持体５は支持部２５，２５を支点として回動させるだけで支持板部２３に装着することができる。装着された操作部保持体５の一面は支持板部２３の規制凸部２６に当接し、回動が規制され、位置決めされる。
【００２７】
次に、表示部１の後方からキャビネット後分体２２が被嵌される。この際、キャビネット後分体２２の規制片２７が、操作部保持体５の他面に接触し、操作部保持体５の復帰回動が確実に規制される。また、キャビネット後分体２２の規制部２２ｅが操作部保持体５の幅方向他縁部に接触し、規制部２２ｅが操作部保持体５を支持部２５，２５へ押付け、支持部２５，２５及び規制部２２ｅの間で操作部保持体５の前後方向への移動を規制する。従って、操作部保持体５の係止部２４，２４による係止力にバラツキがあっても、操作部保持体５の復帰回動を確実に防ぐことができるとともに、操作部保持体５のガタツキを防ぐことができる。
【００２８】
表示部１に被嵌されたキャビネット後分体２２は、該キャビネット後分体２２に設けられている筒形ボス２２ｄに挿入される雄螺子が筒形ボス２１ｄの孔に捩じ込まれることによりキャビネット前分体２１に結合される。
【００２９】
図１０、図１１は表示装置の他の構成を示す要部の背面側斜視図である。この表示装置は、係止部２４，２４の爪部２４ｂ，２４ｂに、前方へ窪む凹部２４ｃ，２４ｃを設け、被係止部５２，５２の延出方向の中途に凹部５２ａ，５２ａを設けて鉤形をなす構成としたものである。
【００３０】
このように構成された係止部２４，２４及び被係止部５２，５２は、図１〜図９に示した表示装置より大型の表示装置に用いられる。
この表示装置にあっては、操作部保持体５を支持板部２３に装着する際、被支持部５１を支持部２５，２５に当接させ、この当接状態で操作部保持体５を支持板部２３側へ回動操作することにより被係止部５２，５２の中途が爪部２４ｂに当接し、爪部２４ｂを支持板部２３側へ撓ませつつ爪部２４ｂを乗り越え、被係止部５２，５２の凹部５２ａに係止部２４，２４の爪部２４ｂが嵌まり、被係止部５２，５２が係止部２４，２４に係止される。このように操作部保持体５は支持部２５，２５を支点として回動させるだけで支持板部２３に装着することができる。
その他の構成及び作用は図１〜図９に示す表示装置と同様であるため、同様の部品については同じ符号を付し、その詳細な説明及び作用効果の説明を省略する。
【００３１】
尚、以上説明した実施の形態ではキャビネット前分体２１に操作部保持体５を装着したが、その他、操作保持体５はキャビネット後分体２２に装着してもよい。
【００３２】
また、以上説明した実施の形態ではキャビネット２の上側に操作部保持体５を配したが、その他、操作部保持体５はキャビネット２の左右方向の側部又は下側に配する構成としてもよい。また、操作部保持体５はキャビネット２の周縁部に配したが、その他、操作部保持体５はキャビネット２の前側に配する構成としてもよい。
【００３３】
また、本発明に係る表示装置は液晶テレビ等の液晶表示装置である他、プラズマ表示装置、ＥＬディスプレイ等の表示装置であってもよい。
【図面の簡単な説明】
【００３４】
【図１】本発明に係る表示装置の構成を示す正面図である。
【図２】本発明に係る表示装置のキャビネットの一部を省略した背面側斜視図である。
【図３】本発明に係る表示装置の操作部保持体が装着されたキャビネットの一部を示す背面側斜視図である。
【図４】本発明に係る表示装置の操作部保持体が装着されたキャビネットの一部を示す背面側斜視図である。
【図５】本発明に係る表示装置のキャビネットの一部を示す背面側斜視図である。
【図６】本発明に係る表示装置の操作部保持体が装着されている箇所の拡大断面図である。
【図７】本発明に係る表示装置の操作部保持体の構成を示す斜視図である。
【図８】本発明に係る表示装置の操作部保持体の回路基板が省略された裏側斜視図である。
【図９】操作部保持体が装着される過程を示す説明図である。
【図１０】本発明に係る表示装置の他の構成を示す要部の背面側斜視図である。
【図１１】本発明に係る表示装置の他の構成を示す要部の背面側斜視図である。
【符号の説明】
【００３５】
１    表示部
２    キャビネット
２１  キャビネット前分体
２２  キャビネット後分体
２４  係止部
２５  支持部
４    操作部
５    操作部保持体
５１  被支持部
５２  被係止部
２７  規制片
２２ｅ  規制部
【図１】
2009181038.tif 000003
【図２】
2009181038.tif 000004
【図３】
2009181038.tif 000005
【図４】
2009181038.tif 000006
【図５】
2009181038.tif 000007
【図６】
2009181038.tif 000008
【図７】
2009181038.tif 000009
【図８】
2009181038.tif 000010
【図９】
2009181038.tif 000011
【図１０】
2009181038.tif 000012
【図１１】
2009181038.tif 000013